(57)【特許請求の範囲】
【請求項１】
建物の開閉する扉から外出する者が近距離無線手段を有する携帯端末装置を携行したか否か検出するための方法であって、
前記扉が開いたことを検知するステップと、
前記扉の内側の人体を検知するステップと、
前記扉が開いたことが検知され、且つ前記扉の内側に人体が検出されたときに前記扉と近距離無線手段を有するデバイスとの間の距離に関する値を取得し、該取得された値に基づいて前記扉と前記デバイスとの間の距離が「近い」かそうでないかを決定するステップであって、前記距離に関する値が、前記扉から所定の通信距離内に送信される指示信号を受信するデバイスが返信する信号から取得される、決定するステップと、を含み、
さらに、前記扉と少なくとも一つのデバイスとの間の距離が「近い」と決定されないときに、
前記扉が閉じたことを検知するステップと、
前記扉の内側の人体を検知するステップと、
前記扉が閉じたことが検知され、且つ前記扉の内側に人体が検知されなかった直後に前記携帯端末装置が前記外出する者によって携行されていないことを決定し報知するステップと、を含む方法。
【請求項２】
前記決定するステップにおいて、
前記デバイスが返信する信号が各デバイスのＩＤを含み、前記距離に関する値が、前記信号に含まれるＩＤが予め登録された対象の携帯端末装置のＩＤに一致するとき、前記信号から取得されて前記扉と前記対象の携帯端末装置との間の距離が「近い」かそうでないかが決定され、
前記扉と少なくとも一つの対象の携帯端末装置との間の距離が「近い」と決定されないときに、前記決定し報知するステップを含むことを特徴とする請求項１に記載された方法。
【請求項３】
前記人体を検知するステップにおいて、前記扉が開いたことが検知されたときに前記人体を検知することを特徴とする請求項１又は２に記載された方法。
【請求項４】
建物の開閉する扉から外出する者が近距離無線手段を有する携帯端末装置を携行したか否かを検出するための検出システムに含まれる、前記扉に取り付けるための検出装置であって、
該検出装置に電力を供給するための電源と、
前記扉の開閉を検知するための扉検知手段と、
前記扉の内側の人体を検知するための人体検知手段と、
前記近距離無線手段と対応する近距離無線検知手段であって、前記近距離無線手段との間で信号を送受信するための送受信部と、前記信号を処理し所定の決定を行うための処理・決定部と、を含む近距離無線検知手段と、
前記外出する者に報知するための報知手段と、
各手段を制御するための制御手段と、を含み、
前記扉検知手段が、前記扉が開いたときにオープン検知信号を出力し、
前記人体検知手段が人体を検知し、人体が検出されたときに人体検出信号を出力し、
前記近距離無線検知手段が、前記オープン検知信号の入力及び前記人体検出信号の入力に応じて所定の通信距離内に指示信号を送信し、該指示信号を各近距離無線手段で受信するデバイスから返信される信号を受信し、該信号から受信信号強度を取得し、該受信信号強度に基づいて前記デバイスが前記検出装置から「近い」かそうでないかを決定し、
少なくとも一つのデバイスが「近い」と決定されないときに、
前記扉検知手段が、前記扉が閉じたときにクローズ検知信号を出力し、
前記人体検知手段が人体を検知し、
前記クローズ検知信号の入力及び人体検出信号が入力されないことに応じて、前記報知手段が報知するように制御されることを特徴とする検出装置。
【請求項５】
前記近距離無線検知手段が、さらに、対象の携帯端末装置のＩＤが格納される記憶部と、を含み、
前記近距離無線検知手段が、前記指示信号を各近距離無線手段で受信するデバイスから返信される各デバイスのＩＤを含む信号を受信し、該ＩＤが前記記憶部に格納された前記対象の携帯端末装置のＩＤに一致するときに前記信号から受信信号強度を取得し、該受信信号強度に基づいて前記対象の携帯端末装置が前記検出装置から「近い」かそうでないかを決定し、
少なくとも一つの対象の携帯端末装置が「近い」と決定されないときに、前記クローズ検知信号の入力及び人体検出信号が入力されないことに応じて、前記報知手段が報知するように制御されることを特徴とする請求項４に記載された検出装置。
【請求項６】
前記近距離無線検知手段が、ＢＬＥモジュールから成ることを特徴とする請求項４又は５に記載された検出装置。
【発明の詳細な説明】
【技術分野】
【０００１】
本発明は、携帯端末装置を自宅等に置いたまま外出することがないように、Ｂｌｕｅｔｏｏｔｈ（登録商標）等の近距離無線手段を利用して、端末装置の携帯し忘れを容易に検出する方法等に関する。
【０００２】
スマートフォン、タブレットＰＣ、ＰＤＡ等の携帯端末装置は今や生活や仕事に欠かせないものであり、外出時、肌身離さず持って歩かなければ支障をきたすようになっている。しかしながら多くの人は、頻度は少ないものの、自宅にスマートフォン等を置き忘れて外出した経験を持っている。
【背景技術】
【０００３】
従来、置き忘れ等により携帯電話機が使用者の手元から一定以上離れたことを警告するために、使用者に所持されるカード形式の識別信号送信ユニットから一定の強度と所定のタイミングで信号を送信し、その受信レベルに基づいて警報信号を発する装置が提供された（特許第２９３１２７６号：特許文献１）。また、無線による相互通信を行う電子機器間の離散を容易に認知するように、Ｂｌｕｅｔｏｏｔｈ（登録商標）等の近距離無線方式を用い、その送信された信号の受信品質が予め設定された受信品質レベルを下回った際に、電子機器に具備された無線通信異常の報知を行う報知手段から無線通信異常の報知を行うシステムが提案された（特開２００２−１６５３９公報：特許文献２）。
【０００４】
あるいは、Ｂｌｕｅｔｏｏｔｈ（登録商標）等の近距離無線手段を備えた携帯端末と、該近距離通信手段と無線通信可能であって、財布等の検知対象に取り付けられる少なくとも１つの無線タグと、前記携帯端末に設けられており、近距離通信手段によって無線タグに問合せを行い、無線タグが近辺にあるかどうかを検知する無線検知手段とを備え、携帯電話を忘れたときに携行品側から警報音出力を行うことができ、電池の消耗の低減を図りつつ良好に忘れ物を検知することができる無線距離検知システムが提案された（特開２０１３−５４５１８公報：特許文献３）。
【先行技術文献】
【特許文献】
【０００５】
【特許文献１】特許第２９３１２７６号
【特許文献２】特開２００２−１６５３９公報
【特許文献３】特開２０１３−５４５１８公報
【発明の概要】
【発明が解決しようとする課題】
【０００６】
従来技術においては、携帯端末装置の受信器へ無線信号を発する発信器を有するカード状の機器等を携帯端末装置の所有者が常に身に着ける必要があり煩雑であった。携帯端末装置と機器とが比較的頻繁に通信する必要があり、電池の消耗を十分に低減することができないという問題もあった。また、携帯端末装置を自宅に置き忘れることを防ぐための必要十分な構成を有しなかった。
【０００７】
昨今は単独世帯が増加し、忘れ物のチェックをしてくれるような家族等の存在も減っており、そのようなチェック機能を必要以上の手間やコストを費やすことなく実現するシステムが望ましい。
【０００８】
上記課題に鑑みて、本発明は、携帯端末装置の所有者が日常の動作において容易に携帯端末装置の携行し忘れを検知することができる方法、システム、及び装置を提供することを目的とする。
【課題を解決するための手段】
【０００９】
上記課題を解決するための本発明の一つの態様は、建物の開閉する扉から外出する者が携帯端末装置を携行したか否か検出するための方法であって、扉が開いたことを検知するステップと、扉の内側の人体を検知するステップと、扉が開いたことが検知され、且つ扉の内側に人体が検出されたときに扉と携帯端末装置との間の距離に関する値を取得し、該取得された値に基づいて扉と携帯端末装置との間の距離が「近い」かそうでないかを決定するステップと、を含み、さらに、扉と携帯端末装置との間の距離が「近い」と決定されないときに、扉が閉じたことを検知するステップと、扉の内側の人体を検知するステップと、を含み、扉が閉じたことが検知され、且つ扉の内側に人体が検知されなかったときに携帯端末装置が前記外出する者によって携行されていないことが決定され、前記携行されていないことが決定されたとき前記外出する者に報知するステップとを含む。
【００１０】
本発明によれば、開閉する扉を通過する者が中から外へ移動したことを検出し、且つ建物の開閉する扉と携帯端末装置との近い距離を検出して、外出する者が携帯端末装置を携行したかどうかを決定することができる。外出する者は無線タグ等の携行品を身に着ける必要がなく、利便性の高い方法とすることができる。
【００１１】
前記人体を検知するステップにおいて、前記扉が開いたことが検知されたときに前記人体が検知されることが好ましい。このようにすることで、人体検知を常時行うことがなく、消費電力を低減することができる。
【００１２】
本発明の他の態様は、建物の開閉する扉から外出する者が近距離無線手段を有する携帯端末装置を携行したか否かを検出するための検出システムに含まれる、扉に取り付けるための検出装置であって、該検出装置に電力を供給するための電源と、扉の開閉を検知するための扉検知手段と、扉の内側の人体を検知するための人体検知手段と、近距離無線手段に対応する近距離無線検知手段と、外出する者に報知するための報知手段と、各手段を制御するための制御手段と、を含み、近距離無線検知手段が、近距離無線手段との間で信号を送受信する送受信部と、受信した信号を処理して検出装置と携帯端末装置との間の距離に関する第１の値又は第２の値を決定するための処理・決定部と、を含み、扉検知手段が、扉が開いたときにオープン検知信号を出力し、人体検知手段が人体を検知し、人体が検出されたときに人体検出信号を出力し、近距離無線検知手段が、オープン検知信号の入力及び人体検出信号の入力に応じて第１の値又は前記第２の値を決定し、第１の値が決定されたときに、扉検知手段が、扉が閉じたときにクローズ検知信号を出力し、人体検知手段が人体を検知し、クローズ検知信号の入力及び人体検出信号が入力されないことに応じて、報知手段が報知するように制御されることを特徴とする。
【００１３】
近距離無線検知手段はＢｌｕｅｔｏｏｔｈ（登録商標）モジュールで実装することができ、Ｂｌｕｅｔｏｏｔｈ（登録商標）モジュールはＢＬＥ（Ｂｌｕｅｔｏｏｔｈ ｌｏｗ ｅｎｅｒｇｙ）モジュールであることが好ましい。このようにすることで、消費電力が極めて低減された装置とすることができる。
【００１４】
上記の検出装置において、好適に、検出装置の電源が、オープン検知信号の入力によりオンになり、オープン検知信号の入力に応じて人体検出信号が出力されないとき、第２の値が決定されたとき、クローズ検知信号の入力に応じて人体検出信号が出力されたとき、又は報知がされたときにオフになる。
【図面の簡単な説明】
【００１５】
【図１】図１は本発明の検出システムを構成する検出装置と携帯端末装置とを模式的に示すブロック図である。
【図２】図２は本発明の一つの態様の検出方法を示すフロー図である。
【図３】図３はデジタル信号のシーケンス図である。
【図４】図４は本発明に係る検出装置の例示的な取り付け図である。
【図５】図５は本発明の検出方法を説明するための図である。
【発明を実施するための形態】
【００１６】
以下、図面を参照しながら、本発明のさまざまな特徴が、本発明の限定を意図するものではない好適な実施例とともに説明される。図面は説明の目的で単純化され、尺度も必ずしも一致しない。
【００１７】
図１に、本発明に係る近距離無線検知システム１の構成が模式的に示されている。検知システム１は、近距離無線検出装置１００と、携帯端末装置２００とを含む。
【００１８】
携帯端末装置２００は公知のスマートフォン等であり、概して、基地局と通信を行うためのアンテナ７１を備えた無線手段７０と、近距離無線検出装置１００等の近距離無線機器と通信を行うためのアンテナ８１を備えた近距離無線手段８０とを備える。近距離無線手段８０は、無線ＬＡＮ（ｌｏｃａｌ ａｒｅａ ｎｅｔｗｏｒｋ）、ＷｉＦｉ（商標）（ｗｉｒｅｌｅｓｓ ｆｉｄｅｌｉｔｙ）、ＮＦＣ（ｎｅａｒ ｆｉｅｌｄ ｃｏｍｍｕｎｉｃａｔｉｏｎ）、Ｂｌｕｅｔｏｏｔｈ（登録商標）、ＢＬＥ（Ｂｌｕｅｔｏｏｔｈ ｌｏｗ ｅｎｅｒｇｙ）、Ｚｉｇｂｅｅ（登録商標）、ＷＦＤ（ＷｉＦｉ（商標） ｄｉｒｅｃｔ）、ＵＷＢ（ｕｌｔｒａ ｗｉｄｅ ｂａｎｄ）等であり得る。
【００１９】
検出装置１００は、電源１０と、扉検知手段２０と、人体検知手段３０と、近距離無線検知手段４０と、制御手段５０と、報知手段６０とを含む。検出装置１００は、自宅等の出入り口の扉に取り付けるためのものである。
【００２０】
電源１０は、電源としての電池及び電源スイッチを含み、各手段２０、３０、４０、５０、６０へ必要な電力を供給する。
【００２１】
扉検知手段２０は、扉の閉じた状態及び開いた状態を検知する開閉センサであり得る。扉検知手段２０は、例えば、ヒンジ部材により回動可能に支持された扉の上部に取り付けられ、扉の振動（動的加速度）を検出することにより開閉を検知する。好適に、扉検知手段２０は、振動を検知すると扉が開いた状態を表すオープン信号を出力し、振動がないこと及び／又は振動の停止を検知すると扉が閉じた状態を表すクローズ信号を出力することができる。代わりに、扉検知手段２０は、磁気センサスイッチとマグネットとから成る磁気センサから成り、扉と扉枠とにそれぞれ取り付けられた磁気センサスイッチとマグネットとが離隔又は近接することにより扉の開いた状態又は閉じた状態を検知してもよい。その他、扉の開閉を検知することができる任意のセンサを扉検知手段２０に使用することができる。
【００２２】
人体検知手段３０は、周囲と温度差のある人体が動く際に発生する赤外線の変化量を検出して人体を検出する焦電型赤外線センサ等の人感センサであってよい。そのほか、人体の存在を検知できる任意のセンサを人体検知手段３０に使用することができる。人体検知手段３０は、概して、扉２の開閉の仕方や本発明の検出装置１００の取り付け位置等に応じて、本発明の目的に適合するように、扉近傍の屋内の人体を検知するための所定の検出範囲３０ｒを有する（図５）。
【００２３】
人体検知手段３０は「通電モード」と「非通電又は低通電モード」とを有し、「通電モード」において人体が検出されたことを表す人体検出信号を出力し得る。人体が検出されないとき、人体検知手段３０は信号を出力しなくてよい。人体検知手段３０の「通電モード」と「非通電／低通電モード」との切り替えは、扉検知手段２０の出力をスイッチとすることが好ましい。
【００２４】
近距離無線検知手段４０は、携帯端末装置２００の近距離無線手段８０と無線信号を送受信するためのアンテナ４１を備えた送受信部４２、携帯端末装置２００からの受信信号の処理及び所定の決定を行うための処理・決定部４３、プログラムやＩＤテーブル、しきい値等を格納する記憶部４４を備える。
【００２５】
制御手段５０は、信号処理をソフトウェアで実行することができるマイコン、デジタルシグナルプロセッサ（ＤＳＰ）等により実装され得る。
【００２６】
近距離無線検知手段４０は、市販のＢｌｕｅｔｏｏｔｈ（登録商標）用モジュールで実装することができる。このようなモジュールは、クラシックＢｌｕｅｔｏｏｔｈ（Ｂｌｕｅｔｏｏｔｈ３．０以下）とＢＬＥ（Ｂｌｕｅｔｏｏｔｈ４．０）との両方を搭載してクラシックＢｌｕｅｔｏｏｔｈ搭載の携帯端末装置及びＢｌｕｅｔｏｏｔｈ４．０搭載の携帯端末装置と通信可能なデュアルモードであり得る。又は、ＢＬＥのみを搭載してＢｌｕｅｔｏｏｔｈ４．０搭載の携帯端末装置と通信可能なシングルモードであり得る。近距離無線検知手段４０は、マイコン等の制御部を内蔵してよい。近距離無線検知手段４０は、マイコン等の制御部を内蔵しなくてもよい。
【００２７】
上記の各手段はＰＩＯ、ＧＰＩＯを介して信号をやり取りし得る。各手段は、任意のコンピュータのＣＰＵ、メモリ、その他のＬＳＩ等のハードウェア、メモリにロードされた通信機能のあるプログラム等のソフトウェア、及び／又はそれらの様々な組み合わせによって実装され得る。
【００２８】
近距離無線手段４０の処理・決定部４３は、携帯端末装置２００の受信信号から受信信号強度（ＲＳＳＩ：Ｒｅｃｅｉｖｅｄ Ｓｉｇｎａｌ Ｓｔｒｅｎｇｔｈ Ｉｎｄｉｃａｔｏｒ）を取得し、取得したＲＳＳＩ値に基づいて、検出装置１００（すなわち、扉）と携帯端末装置２００との間の距離が十分に近いか否かを決定する。ＲＳＳＩの値は、送信電力、デバイスとの距離等に応じた伝搬損失、及び受信感度により決定され、対数で表現され、概して、−３０ｄＢｍから−１００ｄＢｍまでのマイナスの値を取る。ＲＳＳＩ値は、屋内の状況において、建物内の壁及び他の仕切りによる吸収及び分散によって影響を受けるため、ＲＳＳＩ値によって検出装置１００と携帯端末装置２００間の距離を正確に測定することは困難である。本発明は、任意の距離の測定を行うのではなく、端末装置２００が外出者によって携帯されていることを決定するために、検出装置１００と携帯端末装置２００間の距離が十分に近いことを判定する。検出装置１００と携帯端末装置２００との間の「十分に近い距離」は、約３ｍ以内、約２ｍ以内、約１ｍ以内等であり、このような距離に対応するＲＳＳＩ値は、概して、−６０〜−５０ｄＢｍ以上、好適に、−４０ｄＢｍ以上であり得る。
【００２９】
報知手段６０は、扉の近くにいる人物に聴覚的、視覚的、その他の感覚的に報知することができるアラーム、ブザー、スピーカー等の音響部、ＬＥＤ等の発光部、バイブレータ等の可動部等の任意の形態を有する。
【００３０】
図２及び図３に、本発明に従って、外出時にスマートフォン等の携帯端末装置の置き忘れを検出する方法のフロー及び信号シーケンスが図示されている。扉検知手段２０により扉が開いたことが検知されると、オープン検知信号Ｓ５００が出力される。人体検知手段３０は、オープン信号Ｓ５００の入力により「非通電／低通電モード」から「通電モード」にスイッチして、扉の内側（建物の中）の人体を検知する。人体を検出した場合は人体検出信号Ｓ５０２を出力し、人体を検出しなかった場合は、内側に人がいない（扉は外出する者によって開けられたのではなく、帰宅した者によって開けられた）のでそれ以上の検知を行わず、所定の時間間隔後に「非通電／低通電モード」に切り替わり、検出装置１００は動作を終了する。
【００３１】
人体検知手段３０が人体の検知を行うタイミングはオープン（及び／又はクローズ）信号入力の直後であり、例えば、オープン（クローズ）信号入力後０．１〜０．５秒間、好適に、０．１〜０．３秒間である。
【００３２】
人体検出信号Ｓ５０２の入力により、近距離無線検知手段４０はＲＳＳＩを取得するための送信指示信号Ｓ５０４をアンテナ４１（図１）から送信する。携帯端末装置２００は信号Ｓ５０４を受信することにより信号Ｓ５０６を返信する。
【００３３】
例えば、近距離無線検知手段４０がＢｌｕｅｔｏｏｔｈ（登録商標）手段である場合はクラス（ｃｌａｓｓ）に応じた通信距離（例えば、１０ｍ等）を有し、通信距離内の対応するＢｌｕｅｔｏｏｔｈ（登録商標）手段を有する携帯端末は指示信号Ｓ５０４を受信し得る。指示信号Ｓ５０４を受信した携帯端末装置２００の無線手段８０は、無線検知手段４０に対して、自身のＩＤを乗せた信号Ｓ５０６を返信する。好適に、無線検知手段４０は処理対象の携帯端末装置２００のＩＤを予め記憶部４４のＩＤテーブルに格納しており、記憶したＩＤを含む信号Ｓ５０６からＲＳＳＩ値を取得する。この取得されたＲＳＳＩ値を所定のしきい値と比較し、ＲＳＳＩ値がしきい値を下回る（しきい値以下、又はしきい値未満）であるとき、両方の無線機器間の距離が十分に近い状態ではないこと（第１の値）を決定し、しきい値を上回る（しきい値より大きい、又はしきい値以上）であるときに、両方の無線機器間の距離が十分に近いこと（第２の値）を決定する。
【００３４】
しきい値は、携帯端末が扉の近傍（例えば、約２メートル以内、約１メートル以内等）にあることを表し得る値である。しきい値は検出装置１００の記憶部４４に予め格納された所定値であってよい。所定値は、−３０ｄＢｍ、−４０ｄＢｍ、−５０ｄＢｍ、−６０ｄＢｍであってよく、これらの値の間の任意の値であってもよい。使用の状況に適合するように、利用者がしきい値を調節できるようにしてもよい。
【００３５】
取得されたＲＳＳＩ値に基づいて携帯端末装置２００が検出装置１００から「近い」と決定された場合は、外出する者が少なくとも１台の携帯端末装置２００を携行していると決定することができ、報知を行う必要がないため、検出装置１００は動作を終了する。「近い状態ではない」と決定された場合はさらに、扉が外出者によって開けられたものか否かを検出するために、扉のクローズ信号Ｓ５０８の入力をスイッチとして人体検知手段３０が扉の内側の人体を検知する。人体の検出により検出信号が出力された場合、外出ではないと判定されるため、制御手段５０は該信号の入力に応じて検出装置１００の動作を終了させ得る。人体検出信号がクローズ信号Ｓ５０８の入力後所定の時間間隔内（例えば、０．５秒以内、０．３秒以内等）に入力されないとき、制御手段５０は報知手段を起動させ、その後に動作を終了させ得る。
【００３６】
検出装置１００の記憶部４４は、処理対象の携帯端末装置のＩＤを記憶しなくてもよい。この場合、検出装置１００の通信距離内で指示信号を受信するデバイスのＲＳＳＩ値が取得され、携行の有無が決定され得る。好適に、記憶部４４は、処理対象の携帯端末装置のＩＤを記憶し、検出装置１００はＩＤが一致したときにＲＳＳＩ値を取得する。概して、ＩＤの登録は、検出装置１００の利用開始前の利用者の登録操作により行われる。例えば、検出装置１００のためのアプリケーションをインストールした携帯端末装置２００で検出装置１００の探索と選択を行うことにより、携帯端末装置２００のＩＤが検出装置１００の記憶部４４のＩＤテーブルに格納され得る。記憶部４４のＩＤテーブルは、処理の対象となる複数の携帯端末装置のＩＤを登録してもよい。複数の携帯端末装置は、２台、３台、４台、５台であってよく、それ以上であってもよい。
【００３７】
好適に、近距離無線検知手段４０は、シングルモード（ＢＬＥ）のモジュールにより構成される。ＢＬＥモジュールによりＢＬＥ搭載の携帯端末装置２００の携行の有無を、より低減された消費電力で検出することができる。
【００３８】
図４に、扉２に取り付けられた検出装置１００が模式的に図示されている。検出装置１００の各機能を実現するモジュールは、筐体１０１の内部に一体的に組み込まれ得る。検出装置１００は、概して扉２の上側に設けられている扉枠（図示せず）との間の隙間に取り付け可能な金属又はプラスチックのフック等の取り付け手段１０２により扉２に取り付けられる。検出装置１００は、検出装置１００の電池の残量が少ないことを表示するためのＬＥＤ等から成る電池残量表示手段９０を有してよい。検出装置１００は、筐体１０１の内部に一体的に組み込まれなくてもよい。この場合、検出装置１００は、各手段、各機能に応じて、又は、各手段、各機能に関わらず分離して構成されてよく、分離可能に構成されてもよい。検出装置１００は、扉２を製造する際に扉２に一体的に組み込まれてもよい。
【００３９】
図５に、本発明に係る検出方法を説明するための図が示されている。人物３は外出のために建物の内側から外側へ向かって扉２を開き得る。扉が開いた後の短い時間間隔（例えば、約１秒以内）に、扉２の上部に取り付けられた検出装置１００により、本発明に係る検出が行われる。図示の例では、人物３が携帯端末装置２００を携行しているため、検出装置１００と携帯端末装置２００との距離が「近い」ことが決定され、検出装置１００は動作を終了する。他の場合、すなわち、扉２の近傍にないと決定される位置に携帯端末装置２００を置いて人物３が外出するとき、扉が閉まって人感センサが内側の無人を検知することにより報知が行われる。
【００４０】
例示的なケースとして、人物３が帰宅して建物の外側から扉２を引く場合、扉２が開いた後建物の内側に人体が検出されない時点で検出装置１００は動作を終了し報知は行われない。また、来客等で扉を開いたときは扉が閉まるまで検知が行われるが、扉が閉まって内側に人物３等が検出されるため、報知は行われない。
【００４１】
検出装置１００により端末装置２００の不携行の検出を行った際の一回の消費電力は約０．１ｍＡ以下である。アラーム等の報知まで行った際の一回の消費電力は約０．３ｍＡ以下である。扉の開閉や報知の頻度によるが、電源に単３電池２本を検出装置２００に使用した場合、大まかに、電池交換することなく２年以上の使用が可能である。
【００４２】
本発明によれば、携帯端末装置の利用者は、他の無線タグ等を身に着ける必要がなく、外出時に携帯端末装置の携行し忘れを報知され得るので利便性が高い。また、扉の開閉、人体検知等の限定的なスイッチで動作するので、定期的な通信の必要がなく、消費電力等のコストを十分に低減することができ、容易に生活に取り入れることができる。
【００４３】
本発明の思想及び態様から離れることなく多くのさまざまな修正が可能であることは当業者の知るところである。したがって、言うまでもなく、本発明の態様は例示に過ぎず、本発明の範囲を限定するものではない。
【符号の説明】
【００４４】
１      検知システム
１０    電源
２０    扉検知手段
３０    人体検知手段
４０    近距離無線検知手段
５０    制御手段
６０    報知手段
【図１】
0005956527.tif 000002
【図２】
0005956527.tif 000003
【図３】
0005956527.tif 000004
【図５】
0005956527.tif 000005
【図４】
0005956527.tif 000006